(57)【要約】 【課題】ユーザに煩雑な操作を要求することなく、放送内容を出力する際の状況が放送出力に適した状況か否かを事前に知ることができ、その放送内容を見逃したり聞き逃したりすることを防止できるようにする。 【解決手段】ＣＰＵ１１は、携帯電話装置１の利用状況を利用履歴として履歴情報記憶部Ｍ１に記憶し、かつ、放送内容の出力に適した状況か否かを判別するための判別条件を判別条件記憶部Ｍ２に記憶している状態において、出力対象の放送内容が指定された際に、この履歴情報記憶部Ｍ１及び判別条件記憶部Ｍ２を参照し、この放送内容を出力する時間帯が放送出力に適した状況でないと判別された場合には、その旨を報知する。 【選択図】  図２
2008278181.tif 000002
【特許請求の範囲】
【請求項１】
放送を受信してその放送内容を出力する放送受信装置であって、
当該放送受信装置の利用状況を利用履歴として記憶する利用履歴記憶手段と、
放送内容の出力に適した状況か否かを判別するための判別条件を記憶する判別条件記憶手段と、
出力対象の放送内容を指定する指定手段と、
この指定手段によって指定された放送内容を出力する時間帯が放送出力に適した状況であるか否かを前記利用履歴及び判別条件に基づいて判別する判別手段と、
この判別手段によって放送出力に適した状況でないと判別された場合には、放送出力に適した状況でない旨を報知する報知手段と、
を具備したことを特徴とする放送受信装置。
【請求項２】
前記放送内容の出力は、放送内容を再生する再生手段への出力である、
ことを特徴とする請求項１記載の放送受信装置。
【請求項３】
前記判別手段によって放送出力に適した状況でないと判別された場合に、前記指定された放送内容を当該放送受信装置に備えられている記録手段で記録する、
ようにしたことを特徴とする請求項２記載の放送受信装置。
【請求項４】
前記放送内容の出力は、放送内容を記録する記録手段への出力である、
ことを特徴とする請求項１記載の放送受信装置。
【請求項５】
前記判別手段によって放送出力に適した状況でないと判別された場合には、放送内容を記録する外部記録装置に対して前記指定された放送内容の記録を指示する、
ようにしたことを特徴とする請求項２あるいは４記載の放送受信装置。
【請求項６】
前記外部記録装置によって記録された記録データを受信取得した場合に、この記録データを再生する、
ようにしたことを特徴とする請求項５記載の放送受信装置。
【請求項７】
通信機能を備えた放送受信装置であって、
前記利用履歴は、前記通信機能における通信履歴であり、
前記判別手段は、前記通信履歴及び判別条件を参照して、放送内容を出力する時間帯が放送出力に適した通信状況下であるか否かを判別する、
ようにしたことを特徴とする請求項１記載の放送受信装置。
【請求項８】
前記利用履歴は、通信相手毎の通信履歴であり、
前記判別手段は、特定相手の前記通信履歴を参照して、放送内容を出力する時間帯がその特定相手と通信している通信中か否かに基づいて放送出力に適した通信状況下であるか否かを判別する、
ようにしたことを特徴とする請求項７記載の放送受信装置。
【請求項９】
前記利用履歴は、当該放送受信装置に備えられている機能の動作状況を示す機能動作履歴であり、
前記判別手段は、前記機能動作履歴及び判別条件を参照して、放送内容を出力する時間帯が放送出力に適した動作状況下であるか否かを判別する、
ようにしたことを特徴とする請求項１記載の放送受信装置。
【請求項１０】
前記利用履歴は、当該放送受信装置の位置の変化状況を示す位置履歴であり、
前記判別手段は、前記位置履歴及び判別条件を参照して、放送内容を出力する時間帯に放送出力に適した位置に居るか否かを判別する、
ようにしたことを特徴とする請求項１記載の放送受信装置。
【請求項１１】
前記利用履歴は、当該放送受信装置の移動状況を示す移動履歴であり、
前記判別手段は、前記移動履歴及び判別条件を参照して、放送内容を出力する時間帯に放送出力に適した移動状況下であるか否かを判別する、
ようにしたことを特徴とする請求項１記載の放送受信装置。
【請求項１２】
前記利用履歴は、放送の受信可否の状況を示す放送可否履歴であり、
前記判別手段は、前記放送可否履歴を参照して、放送内容を出力する時間帯が放送出力に適した受信状況下であるか否かを判別する
ようにしたことを特徴とする請求項１記載の放送受信装置。
【請求項１３】
前記指定手段によって指定された放送内容を出力する時間帯は、この放送内容の開始時刻から終了時刻までの時間帯である、
ことを特徴とする請求項１記載の放送受信装置。
【請求項１４】
前記報知手段は、前記指定手段によって放送内容が指定された際に、放送出力に適した状況でない旨を報知する、
ようにしたことを特徴とする請求項１記載の放送受信装置。
【請求項１５】
前記報知手段は、前記指定手段によって指定された放送内容を予約する予約情報を記憶する際に、放送出力に適した状況でない旨を報知する、
ようにしたことを特徴とする請求項１記載の放送受信装置。
【請求項１６】
前記報知手段は、前記指定手段によって指定された放送内容を出力開始する所定時間前に、放送出力に適した状況でない旨を報知する、
ようにしたことを特徴とする請求項１記載の放送受信装置。
【請求項１７】
コンピュータに対して、
放送受信装置の利用状況が利用履歴として記憶されていると共に、放送内容の出力に適した状況か否かを判別するための判別条件が記憶されている状態において、出力対象として指定された放送内容を出力する時間帯が放送出力に適した状況であるか否かを前記利用履歴及び判別条件に基づいて判別する機能と、
この判別の結果、放送出力に適した状況でないと判別された場合には、放送出力に適した状況でない旨を報知する機能と、
を実現させるためのプログラム。
【発明の詳細な説明】
【技術分野】
【０００１】
この発明は、放送を受信してその放送内容を出力する放送受信装置及びプログラムに関する。
【背景技術】
【０００２】
近年、携帯電話装置などの通信端末装置には、テレビ放送やラジオ放送を受信すると共に、その放送内容を再生手段（表示装置、スピーカ）に対して出力することによって放送内容を再生したり、放送内容を記録手段（記録メモリ）に対して出力することによって放送内容を記録したりするテレビ機能やラジオ機能を備えているものがある。更に、これらの再生や記録を、予めユーザが記憶させておいた予約情報に基づいて実行する予約視聴（再生）機能や予約記録（録画・録音）機能を備えたものもある。なお、このような予約視聴機能や予約記録機能は、一般に予約機能と呼ばれている。
【０００３】
ところで、上述のような通信端末装置においては、テレビ放送やラジオ放送を受信して放送内容を再生手段や記録手段に対して出力する際に、そのときの状況が放送出力に適していない場合があり、このような状況下では、ユーザが所望の放送内容を見逃したり聞き逃したりしてしまうことが起こり得る。
そこで、従来では、利用者自身のスケジュールと放送受信のスケジュールとが整合しない場合に、視聴不可を表示するようにした携帯型の情報端末装置が開示されている（特許文献１参照）。
【特許文献１】特開２００５−２８６８５５号公報
【発明の開示】
【発明が解決しようとする課題】
【０００４】
しかしながら、上述した先行技術にあっては、利用者（ユーザ）のスケジュール情報と情報受信のスケジュール情報とを比較することで、視聴が困難な状況であるか否かを事前に知ることは可能であるが、スケジュールの整合以外の要因で視聴が困難であるかまでも知ることはできず、所望の番組を見逃したり聞き逃したりしてしまうことがあった。また、ユーザ自らの行動予定をスケジュール情報として詳細に設定させておく必要があり、煩雑な操作によってユーザに大きな負担をかけてしまう。
【０００５】
この発明の課題は、ユーザに煩雑な操作を要求することなく、放送内容を出力する際の状況が放送出力に適した状況か否かを事前に知ることができ、その放送内容を見逃したり聞き逃したりすることを防止できるようにする。
【課題を解決するための手段】
【０００６】
請求項１記載の発明は、放送を受信してその放送内容を出力する放送受信装置であって、当該放送受信装置の利用状況を利用履歴として記憶する利用履歴記憶手段と、放送内容の出力に適した状況か否かを判別するための判別条件を記憶する判別条件記憶手段と、出力対象の放送内容を指定する指定手段と、この指定手段によって指定された放送内容を出力する時間帯が放送出力に適した状況であるか否かを前記利用履歴及び判別条件に基づいて判別する判別手段と、この判別手段によって放送出力に適した状況でないと判別された場合には、放送出力に適した状況でない旨を報知する報知手段とを具備したことを特徴とする。
更に、コンピュータに対して、上述した請求項１記載の発明に示した主要機能を実現させるためのプログラムを提供する（請求項１７記載の発明）。
【０００７】
なお、上述した請求項１記載の発明は次のようなものであってもよい。
前記放送内容の出力は、放送内容を再生する再生手段への出力である（請求項２記載の発明）。
【０００８】
請求項２記載の発明は、前記判別手段によって放送出力に適した状況でないと判別された場合に、前記指定された放送内容を当該放送受信装置に備えられている記録手段で記録するようにしてもよい（請求項３記載の発明）。
【０００９】
前記放送内容の出力は、放送内容を記録する記録手段への出力である（請求項４記載の発明）。
【００１０】
請求項２あるいは４記載の発明において、前記判別手段によって放送出力に適した状況でないと判別された場合には、放送内容を記録する外部記録装置に対して前記指定された放送内容の記録を指示するようにしてもよい（請求項５記載の発明）。また、請求項５の発明において、前記外部記録装置によって記録された記録データを受信取得した場合に、この記録データを再生するようにしてもよい（請求項６記載の発明）。
【００１１】
通信機能を備えた放送受信装置であって、前記利用履歴は、前記通信機能における通信履歴であり、前記判別手段は、前記通信履歴及び判別条件を参照して、放送内容を出力する時間帯が放送出力に適した通信状況下であるか否かを判別する（請求項７記載の発明）。
【００１２】
請求項７記載の発明において、前記利用履歴は、通信相手毎の通信履歴であり、前記判別手段は、特定相手の前記通信履歴を参照して、放送内容を出力する時間帯がその特定相手と通信している通信中か否かに基づいて放送出力に適した通信状況下であるか否かを判別するようにしてもよい（請求項８記載の発明）。
【００１３】
前記利用履歴は、当該放送受信装置に備えられている機能の動作状況を示す機能動作履歴であり、前記判別手段は、前記機能動作履歴及び判別条件を参照して、放送内容を出力する時間帯が放送出力に適した動作状況下であるか否かを判別する（請求項９記載の発明）。
【００１４】
前記利用履歴は、当該放送受信装置の位置の変化状況を示す位置履歴であり、前記判別手段は、前記位置履歴及び判別条件を参照して、放送内容を出力する時間帯に放送出力に適した位置に居るか否かを判別する（請求項１０記載の発明）。
【００１５】
前記利用履歴は、当該放送受信装置の移動状況を示す移動履歴であり、前記判別手段は、前記移動履歴及び判別条件を参照して、放送内容を出力する時間帯に放送出力に適した移動状況下であるか否かを判別する（請求項１１記載の発明）。
【００１６】
前記利用履歴は、放送の受信可否の状況を示す放送可否履歴であり、前記判別手段は、前記受信可否履歴を参照して、放送内容を出力する時間帯が放送出力に適した受信状況下であるか否かを判別する（請求項１２記載の発明）。
【００１７】
前記指定手段によって指定された放送内容を出力する時間帯は、この放送内容の開始時刻から終了時刻までの時間帯である（請求項１３記載の発明）。
【００１８】
前記報知手段は、前記指定手段によって放送内容が指定された際に、放送出力に適した状況でない旨を報知する（請求項１４記載の発明）。
【００１９】
前記報知手段は、前記指定手段によって指定された放送内容を予約する予約情報を記憶する際に、放送出力に適した状況でない旨を報知する、（請求項１５記載の発明）。
【００２０】
前記報知手段は、前記指定手段によって指定された放送内容を出力開始する所定時間前に、放送出力に適した状況でない旨を報知する（請求項１６記載の発明）。
【発明の効果】
【００２１】
この発明は、放送内容を出力する際の状況が出力に適した状況でないことが予測される場合であっても、ユーザがその放送内容を見逃したり聞き逃したりすることを防止することができる。
【発明を実施するための最良の形態】
【００２２】
（実施例１）
以下、図１〜図１３を参照して本発明の第１実施例を説明する。
図１は、放送受信装置として適用した放送受信機能付き携帯電話装置が利用可能な通信ネットワークシステムを示したブロック図である。
携帯電話装置１は、通話機能、電子メール機能、インターネット接続機能（Ｗｅｂアクセス機能）、デジタルテレビ放送（例えば、ワンセグ地上デジタルテレビ放送）を受信可能なテレビ放送受信機能、デジタルラジオ放送（例えば、サンセグ地上デジタルラジオ放送）を受信可能なラジオ放送受信機能のほか、カメラ機能、アドレス帳機能などを備えている。
【００２３】
この携帯電話装置１は、最寄りの基地局２Ａ、交換機２Ｂから無線通信網（公衆移動体通信網）２に接続されている。またＧＰＳ（Global Positioning System）衛星３からＧＰＳ信号を受信して位置情報を取得するようにしている。また、携帯電話装置１は、無線通信網２を介してインターネット４に接続されており、インターネット４を経由してニュース配信サーバ５からニュース情報をダウンロード受信したり、メールサーバ６との間で電子メールを送受信したりするようにしている。
【００２４】
また、携帯電話装置１は、テレビ局・ラジオ局（放送局）７から送信基地局８を介して発信された地上波デジタル放送を受信することができるほか、インターネットラジオのように無線通信網２、インターネット４を介してテレビ・ラジオ番組情報サーバ９から放送内容（例えば、番組内容など）をダウンロード受信することができるようになっている。なお、テレビ・ラジオ放送の番組情報は、無線通信網２、インターネット４を介してテレビ・ラジオ番組情報サーバ９からダウンロード受信することによって取得可能であるほか、放送局７からの放送信号に重畳されている番組情報をその放送信号から分離することによって取得可能となっている。
【００２５】
一方、携帯電話装置１は、自宅、会社、ホットスポットなどに構築されている無線ＬＡＮ（構内通信網）を経由して外部記録装置であるハードディスクレコーダ１０に接続可能となっている。ここで、携帯電話装置１は、指定された放送内容を出力する時間帯が放送出力に適した状況であるか否かを判別し、放送出力に適さない状況下にあれば、携帯電話装置１側で放送出力を行う代わりに、ハードディスクレコーダ１０に対して放送内容の記録を指示するようにしている。
【００２６】
ハードディスクレコーダ１０は、無線ＬＡＮ通信機能を備えたもので、携帯電話装置１からの放送内容を受信してその記録手段（ハードディスク）に記録保存し、また、このハードディスク内の記録データを読み出して元の携帯電話装置１に対して送信するようにしている。ここで、携帯電話装置１は、ハードディスクレコーダ１０からの記録データを受信して再生するようにしている。なお、ハードディスクレコーダ１０から元の携帯電話装置へ記録データを送信するタイミングは、例えば、携帯電話装置１からの要請に応じた放送記録が終了した時点、携帯電話装置１がハードディスクレコーダ１０の近くにあることが想定される深夜時間帯、ユーザによって予め任意に指定された時刻などである。
【００２７】
ここで、第１実施例において「放送出力」とは、携帯電話装置１側の再生手段（表示装置、スピーカ）によって放送内容を再生（視聴）する場合に限らず、携帯電話装置１あるいはハードディスクレコーダ１０側の記録手段で放送内容を記録（録画、録音）する場合も含む。また、「放送出力に適さない状況」とは、例えば、通話中である可能性が高い時間帯、ユーザが放送出力以外の機能を利用している可能性が高い時間帯、カメラ機能などの重負荷駆動中の可能性が高い時間帯、放送の出力に適さない場所に居る可能性が高い時間帯、放送を正常受信することが困難な場所に居る可能性が高い時間帯、ニュース配信時のように割り込みイベントが発生する可能性の高い時間帯、高速移動中の可能性が高い時間帯などである。
【００２８】
上述の「放送出力の適否」を判別するタイミングは、任意に指定した番組に対する予約（視聴予約、録画予約、録音予約）を行う際、電子番組表などから指定した指定番組をリアルタイム出力（再生あるいは記録）する際、予約日時にその予約を実行する際のいずれかである。更に、「放送出力の適否」は、後述する利用履歴に基づいて決定するようにしている。なお、放送出力に適した状況とは、放送出力を行っても何ら支障をきたさない状況下にある場合である。また、「放送内容」とは、出力対象として任意に指定された指定番組、ＣＭ（コマーシャル）などであるが、この実施例ではユーザ指定された指定番組を意味している。
【００２９】
図２は、携帯電話装置１の基本的な構成要素を示したブロック図である。
ＣＰＵ１１は、ＲＯＭ１２内の各種のプログラムに応じてこの携帯電話装置１の全体動作を制御する中核的な中央演算処理装置である。ＲＯＭ１２のプログラム領域には、後述する図７〜図１３に示す動作手順に応じて本実施例を実現するためのプログラムが格納されている。ＲＡＭ１３は、例えば、ワーク領域を有する内部メモリで、後述する履歴情報記憶部Ｍ１、判別条件記憶部Ｍ２、予約情報記憶部Ｍ３、記録データ記憶部Ｍ４などが設けられている。なお、ＲＡＭ１３の内容は、必要に応じて不揮発性メモリ（例えば、フラッシュメモリ）にセーブされる。
【００３０】
携帯電話装置１には、各種の通信機能として無線通信送受信部１４のほか、テレビ放送・ラジオ放送受信部１５、無線ＬＡＮ送受信部１６、ＧＰＳ信号受信部１７が設けられている。無線通信送受信部１４は、アンテナに接続された送受信部（ベースバンド部）の受信側から信号を取り込んで受信ベースバンド信号に復調したのちに、音声信号処理部１８を介して受話スピーカ１９から音声出力させる。また、無線通信送受信部１４は、送話マイク２０から入力された音声データを音声信号処理部１８から取り込み、送信ベースバンド信号に符号化したのちに送受信部の送信側に与えられてアンテナから送信出力させる。一方、電子メール機能、インターネット接続機能の動作時に、無線通信送受信部１４を介して受信取得した表示データあるいはテレビ放送受信機能の動作時に、テレビ放送・ラジオ放送受信部１５を介して受信取得したテレビ放送（映像、文字データ）は、高精細液晶などを使用した表示部（再生手段）２１に与えられて表示される。
【００３１】
テレビ放送・ラジオ放送受信部１５は、テレビ放送受信部とラジオ放送受信部とを有し、それらを個別に起動可能な構成となっており、携帯電話などの携帯端末装置向けの地上波デジタルテレビ放送、地上波デジタルラジオ放送のほか、電子番組表などの番組情報も含めて受信可能となっている。テレビ放送・ラジオ放送受信部１５は、専用アンテナに接続されていて放送信号を抽出する受信部（アナログ回路部）と、受信した放送信号をＯＦＤＭ（直交周波数分割多重）復調したり、多重化されている放送信号から映像、音声、データ（文字データ）に分離して復号化したり、圧縮データの解凍などを行うデジタル回路部を有している。ここで、テレビ音声あるいはラジオ音声データは、サウンドスピーカ（上述の再生手段）２２から出力される。ＣＰＵ１１は、テレビ放送・ラジオ放送受信部１５を定期的にアクセスして正常受信しているか否か監視するようにしている。
【００３２】
無線ＬＡＮ送受信部１６は、上述した無線ＬＡＮを経由してハードディスクレコーダ１０との間でデータの高速通信が可能なもので、ハードディスクレコーダ１０に対して放送内容の記録を指示したり、ハードディスクレコーダ１０に記録されている記録データを受信したりする通信部である。ＧＰＳ信号受信部１７は、衛星と地上の制御局を利用し、複数の衛星からの電波の到着時間の差から厳密に測定された現在位置(経緯度)を受信するもので、ＣＰＵ１１は、ＧＰＳ信号受信部１７を定期的にアクセスしてＧＰＳ測定位置を受信取得しながら現在のユーザ位置（携帯電話装置の位置）を監視するようにしている。
【００３３】
操作部２３は、ダイヤル入力、文字入力、コマンド入力などを行うもので、テレビ放送の受信開始／終了を指示するテレビＯＮ／ＯＦＦキー、ラジオ放送の受信開始／終了を指示するラジオＯＮ／ＯＦＦキー、放送番組の録画／録音を予約する際に使用される予約キー、記録された番組の再生を指示する再生キーなどが設けられており、ＣＰＵ１１は、操作部２３からの入力信号に応じた処理を実行する。ＲＴＣ（リアルタイムクロックモジュール）２４は、年月日時分秒の現在日時を計数する時計部を構成するもので、ＣＰＵ１１１は、ＲＴＣ２４から現在日時を取得する。
【００３４】
速度検出部２５は、携帯電話装置１の移動速度を検出するもので、ＣＰＵ１１は、速度検出部２５を定期的にアクセスして速度情報を取得することによって携帯電話装置１の移動状況を監視するようにしている。カメラ撮像部２６は、カメラ機能を構成し、静止画撮影のほかに動画撮影も可能なもので、撮影レンズ、ミラー等のレンズ・ミラーブロック、撮像素子、その駆動系のほか、測距センサ、光量センサ、アナログ処理回路、信号処理回路、圧縮伸張回路などを備えたもので、ＣＰＵ１１は、カメラ撮像部２６を定期的にアクセスしてその動作状況を監視するようにしている。
【００３５】
図３は、履歴情報記憶部Ｍ１の内容を説明するための図である。
履歴情報記憶部Ｍ１は、携帯電話装置１の利用状況を利用履歴として記憶するもので、「履歴名」、「履歴ＩＤ」、「履歴内容」の各項目を有している。「履歴名」は、履歴情報の種類を示すもので、 “通話履歴”、“ニュース受信履歴”、“機能動作履歴”、“位置履歴”、“移動履歴”、“受信可否履歴”別に、履歴情報記憶部Ｍ１は、その履歴情報を記憶する構成となっている。この“通話履歴”は、通話相手との通話状況を示すもので、「履歴ＩＤ」の“Ａ０１”、“Ａ０２”、“Ａ０３”、…に対応する「履歴内容」には、相手先、通話日時、通話時間などが記憶される。“ニュース受信履歴”は、ニュース配信サーバ５から受信したニュース情報の受信状況を示すもので、「履歴ＩＤ」の“Ｂ０１”、“Ｂ０２”、“Ｂ０３”、…に対応する「履歴内容」には、受信日時、受信時間などが記憶される。
【００３６】
“機能動作履歴”は、カメラ機能、アドレス帳機能などが動作している動作状況を示すもので、「履歴ＩＤ」の“Ｃ０１”、“Ｃ０２”、“Ｃ０３”、…に対応する「履歴内容」には、動作した機能名、動作日時、動作していた時間（動作時間）などが記憶される。また、“位置履歴”は、携帯電話装置１の位置変化の状況を示すもので、「履歴ＩＤ」の“Ｄ０１”、“Ｄ０２”、“Ｄ０３”、…に対応する「履歴内容」には、ＧＰＳ信号受信部１７から定期的に取得した位置情報（＊＊＊＊＊＊）、取得日時などが記憶される。
【００３７】
“移動履歴”は、携帯電話装置１の移動状況を示すもので、「履歴ＩＤ」の“Ｅ０１”、“Ｅ０２”、“Ｅ０３”、…に対応する「履歴内容」には、速度検出部２５から定期的に取得した移動速度（＋＋＋＋）、取得日時などが記憶される。“受信可否履歴”は、放送受信の状況（正常受信の可否）を示すもので、「履歴ＩＤ」の“Ｆ０１”、“Ｆ０２”、“Ｆ０３”、…に対応する「履歴内容」には、放送局７、送信基地局８を介してテレビ放送・ラジオ放送受信部１５から放送信号を正常受信したか、あるいは無線通信網２、インターネット４を介して無線通信送受信部１４から放送内容を正常受信したか否かを示す受信可否とその日時などが記憶される。
【００３８】
図４は、判別条件記憶部Ｍ２の内容を説明するための図である。
判別条件記憶部Ｍ２は、放送出力する時間帯が放送出力に適した状況であるか否かを判別するための判別条件を記憶するもので、「設定フラグ」、「履歴名」、「判別条件」の各項目を有する構成となっている。判別条件記憶部Ｍ２の内容は、ユーザ操作によって任意に設定されたもので、「履歴名」“通話履歴”、“ニュース受信履歴”、“機能動作履歴”、“位置履歴”、“移動履歴”、“受信可否履歴”別に、「設定フラグ」と「判別条件」を記憶する構成となっている。ここで、「放送出力する時間帯」とは、この放送内容の開始時刻から終了時刻までの時間帯である。また、「設定フラグ」は現在有効な条件か否かを示すもので、それが“１”であれば、現在有効な条件であることを示し、“０” であれば、現在無効な条件であることを示している。
【００３９】
また、図示の例において、“通話履歴”に対応する「判別条件」として、“通話相手のほか、最近１週間で４日以上、指定番組の時間帯にその相手と通話したこと”が設定されている。“ニュース受信履歴”に対応する「判別条件」として、“最近２ヶ月の同一曜日で４日以上、指定番組の時間帯にニュースを受信したこと”が設定されている。また、“機能動作履歴” に対応する「判別条件」として、“機能名のほか、最近１週間で２日以上、その番組の時間帯にカメラ機能が動作していたこと”が設定されている。“位置履歴”に対応する「判別条件」として、“指定場所を示す位置情報のほか、最近１ヶ月で１０日以上、指定番組の時間帯にこの指定場所に居たこと”が設定されている。“移動履歴”に対応する「判別条件」として、“移動速度のほか、最近１ヶ月で１０日以上、指定番組の時間帯にこの速度で移動していたこと”が設定されている。“受信可否履歴”に対応する「判別条件」として、“最近３ヶ月の平日（または休日）で３日以上、指定番組の時間帯に受信不能な状況であったこと”が設定されている。
【００４０】
図５は、予約情報記憶部Ｍ３の内容を説明するための図である。
予約情報記憶部Ｍ３は、テレビ放送、ラジオ放送の視聴予約、記録予約（録画予約／録音予約）する予約情報を記憶するもので、その内容はユーザ操作によって任意に設定されたものである。予約情報は「予約ＩＤ」、「種別」、「チャンネル／周波数」、「日時情報」、「再生」、「記録」の各項目を有している。「予約ＩＤ」は予約情報を識別する一連Ｎｏであり、「種別」はテレビ放送を予約対象とするかラジオ放送を予約対象とするかを示し、「チャンネル／周波数」は予約対象局を示し、テレビ放送であればチャンネル、ラジオ放送であれば周波数が設定される。「日時情報」は予約対象番組の放送日時である。「再生」は視聴予約の実行有無を示す“する”／“しない”がセットされ、また、「記録」は記録予約（録画予約／録音予約）の実行有無を示す“する”／“しない”がセットされる。
【００４１】
図６は、記録データ記憶部Ｍ４の内容を説明するための図である。
記録データ記憶部Ｍ４はテレビ放送、ラジオ放送の記録（録画／録音）指定に応じてその放送内容が記録データとして書き込まれるもので、携帯電話装置１側の記録手段を構成する。この記録データは上述の予約情報の場合と同様の「記録ＩＤ」、「種別」、「チャンネル／周波数」、「日時情報」のほか、「映像データ、音声データ」の各項目を有している。「映像データ、音声データ」は録画、録音された実際の記録データである
【００４２】
次に、この第１実施例における携帯電話装置の動作概念を図７〜図１３に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体のほかに、伝送媒体を介して外部供給されたプログラム／データを利用してこの実施例特有の動作を実行することもできる。
【００４３】
図７及び図８は、携帯電話装置１の全体動作の概要を示したフローチャートである。
先ず、ＣＰＵ１１は、携帯電話装置１の電源を投入する電源オン操作が行われると（ステップＡ１でＹＥＳ）、無線通信送受信部１４を作動させて現在位置を登録すると共に、所定の待受画像を読み出して表示させる待受処理を実行したのち（ステップＡ２）、後述する検出タイマ（図示せず）の計測動作を起動させる（ステップＡ３）。この検出タイマは、携帯電話装置１の利用状況を定期的（例えば、１分間隔毎）に検出するためのインターバル時間を計測するタイマである。この待受状態において判別条件記憶部Ｍ２へのデータ設定を指示する設定操作が行われると（ステップＡ４でＹＥＳ）、その設定処理に移る（ステップＡ５）。この場合、「履歴名」をリスト表示させ、このリスト画面の中から任意の「履歴名」がユーザ操作によって選択指定されると、この「履歴名」に対応する「設定フラグ」に“１”をセットするほか、任意の条件データの入力に応じて当該データを「判別条件」にセットする。
【００４４】
また、待受状態において発信操作が行われると（ステップＡ６でＹＥＳ）、今回の通話相手との回線確立に応じて通話処理を開始すると共に（ステップＡ７）、通話終了時の回線遮断に応じて通話履歴記憶処理を実行する（ステップＡ８）。すなわち、今回の通話相手、現在日時、通話時間に基づいて通話履歴情報を生成すると共に、「履歴ＩＤ」を更新して履歴情報記憶部Ｍ１の“通話履歴”に発信履歴として追加記憶させる。同様に、通話着信を検出した場合には（ステップＡ９でＹＥＳ）、着信報知を行ったのち（ステップＡ１０）、通話処理を開始すると共に（ステップＡ７）、通話終了時の回線遮断に応じて通話履歴記憶処理を実行して、履歴情報記憶部Ｍ１の“通話履歴”に着信履歴として追加記憶させる（ステップＡ８）。
【００４５】
また、待受状態においてニュース配信サーバ５からのニュース情報を受信検出した場合には（ステップＡ１１でＹＥＳ）、このニュース情報を受信処理してＲＡＭ１３内に格納したのち（ステップＡ１２）、ニュース受信履歴記憶処理を実行し、受信履歴情報を生成して履歴情報記憶部Ｍ１の“ニュース受信履歴”に今回の履歴情報を追加記憶させる（ステップＡ１３）。また、携帯電話装置１の機能（例えば、カメラ機能など）が指定されてその起動操作が行われた場合には（ステップＡ１４でＹＥＳ）、この指定機能の起動を指示する起動処理を実行したのち（ステップＡ１５）、機能動作履歴記憶処理を実行し、動作履歴情報を生成して履歴情報記憶部Ｍ１の“機能動作履歴”に今回の履歴情報を追加記憶させる（ステップＡ１６）。
【００４６】
また、携帯電話装置１の利用状況を定期的に監視するための時間を計測する検出タイマがタイムアウトした場合には（ステップＡ１７でＹＥＳ）、上述した通話、ニュース受信、機能動作以外の利用状況として、位置、移動、受信可否を検出する処理に移る（ステップＡ１８）。図９は、この利用状況検出処理（図７のステップＡ１８）を詳述するためのフローチャートである。
先ず、ＣＰＵ１１は、ＲＴＣ２４から現在日時を取得すると共に（ステップＢ１）、ＧＰＳ信号受信部１７から現在位置を取得したのち（ステップＢ２）、この現在日時及び位置に基づいて位置履歴情報を生成して、履歴情報記憶部Ｍ１の“位置履歴”に今回の履歴情報を追加記憶させる（ステップＢ３）。
【００４７】
次に、速度検出部２５から現在の速度を取得し（ステップＢ４）、この現在日時及び速度に基づいて移動履歴情報を生成して、履歴情報記憶部Ｍ１の“移動履歴”に今回の履歴情報を追加記憶させる（ステップＢ５）。更に、放送局７、送信基地局８を介してテレビ放送・ラジオ放送受信部１５から放送信号を正常に受信した否か、あるいは無線通信網２、インターネット４を介して無線通信送受信部１４から放送内容を正常に受信したか否かを示す受信可否を取得し（ステップＢ６）、この受信可否に基づいて履歴情報を生成して、履歴情報記憶部Ｍ１の“受信可否履歴”に今回の履歴情報を追加記憶させる（ステップＢ７）。そして、上述の検出タイマを再起動させたのち（ステップＢ８）、図７及び図８のメインフローに戻る。
【００４８】
一方、待受状態において予約情報記憶操作が行われた場合には（図８のステップＡ１９でＹＥＳ）、予約情報記憶処理に移る（ステップＡ２０）。図１０は、この予約情報記憶処理（図８のステップＡ２０）を詳述するためのフローチャートである。
先ず、ＣＰＵ１１は、予約入力画面を表示させて、「種別」、「チャンネル／周波数」、「日時情報」、「再生」、「記録」の項目にデータ入力すべきことを促し、それに応じて予約情報が入力されて（ステップＣ１）、その記憶を指示する記憶操作が行われると（ステップＣ２）、ＣＰＵ１１は、この予約情報に含まれている「種別」、「チャンネル／周波数」、「日時情報」に基づいて該当する放送内容（予約番組）を特定し、この予約番組の放送時間帯をその番組情報（例えば、電子番組表）から読み出す（ステップＣ３）。なお、この予約番組の放送時間帯は、この番組の開始時刻から終了時刻までの時間帯である。
【００４９】
そして、後述する記録指示処理に移るが（ステップＣ４）、この記録指示処理は、放送内容の放送時間帯が放送出力に適さない状況か否かを判別し、放送出力に適さない状況であれば、携帯電話装置１側で放送出力を行う代わりにハードディスクレコーダ１０にその放送内容の記録を指示するようにした処理である。この記録指示処理を実行した結果、ハードディスクレコーダ１０に対して記録指示を送信したか否かを判別し（ステップＣ５）、放送出力に適さない状況下にあるために記録指示を送信した場合には（ステップＣ５でＹＥＳ）、この時点で予約情報記憶処理のフロー終了となるが、放送出力に適した状況で記録指示を送信しない場合には（ステップＣ５でＮＯ）、自己の予約情報記憶部Ｍ３をアクセスして今回の予約情報を追加記憶させる（ステップＣ６）。
【００５０】
図１３は、上述した記録指示処理（図１０のステップＣ４など）を詳述するためのフローチャートである。
先ず、ＣＰＵ１１は、判別条件記憶部Ｍ２をアクセスして「設定フラグ」として“１”がセットされている「履歴名」を特定すると共に、この「履歴名」に対応する「判別条件」を読み出す（ステップＦ１）。なお、図４の例では、“通話履歴”に対応する「設定フラグ」に“１”がセットされているので、それに対応する「判別条件」が読み出される。そして、「設定フラグ」に“１”がセットされている「履歴名」に基づいて履歴情報記憶部Ｍ１をアクセスし、この「履歴名」対応の「履歴内容」と「判別条件」とを比較し（ステップＦ２）、「履歴内容」は「判別条件」を満たすか否かに基づいて放送内容の放送時間帯が放送出力に適していない状況か否かを判別する（ステップＦ３）。
【００５１】
ここで、“最近１週間で４日以上、指定番組の時間帯に特定相手と通話したこと”があれば、“通話履歴”の「判別条件」を満たし、その時間帯は、例えば、重要な相手などと通話しているためにユーザが放送を視聴できない可能性が高く、放送出力に適した状況ではないので（ステップＦ３でＹＥＳ）、メッセージ画面を表示し、その旨を報知する（ステップＦ４）。このメッセージ画面には、例えば、「放送時間帯は視聴／記録に適した状況ではない可能性があります、ハードディスクレコーダで記録しますか？」のメッセージが表示され、この問い合わせに対してＹＥＳ／ＮＯ形式で回答する「はい」、「いいえ」のボタンが配置されている。
【００５２】
いま、「はい」のボタンが操作されると（ステップＦ５でＹＥＳ）、“記録指示＋番組情報＋識別ＩＤ”からなる指示情報を生成してハードディスクレコーダ１０に送信する（ステップＦ６）。なお、“記録指示＋番組情報”は、指定番組を録画／録音すべきことを指示する情報であり、“識別ＩＤ”は、発信元を識別する自局電話番号などであり、この指示に応じた記録データを元の携帯電話装置１に送信する際に、その送信先を指定する情報として当該識別ＩＤが使用される。なお、ハードディスクレコーダ１０は、この指示情報を取り込んで当該放送内容の記録動作を実行する。一方、放送出力に適した状況下にあって「判別条件」を満たしていない場合（ステップＦ３でＮＯ）あるいは「判別条件」を満たしていてもハードディスクレコーダ１０への記録が拒否された場合には（ステップＦ５でＮＯ）、記録指示を送信せずに、この時点で記録指示処理のフローから抜ける。
【００５３】
他方、待受状態において放送内容のリアルタイム出力を指示する出力操作が行われた場合には（図８のステップＡ２１でＹＥＳ）、出力処理に移る（ステップＡ２２）。図１１は、この出力処理（図８のステップＡ２２）を詳述するためのフローチャートである。
先ず、ＣＰＵ１１は、例えば、番組情報（例えば、電子番組表）の中から出力操作によって任意の放送内容（番組）が指定された際に、この放送内容（指定番組）の放送時間帯を当該番組情報から読み出す（ステップＤ１）。なお、この指定番組の放送時間帯は、この番組の開始時刻から終了時刻までの時間帯である。そして、上述した図１３の記録指示処理に移り（ステップＤ２）、出力操作によって指定された放送内容の放送時間帯が放送出力に適さない状況か否かを判別し、放送出力に適さない状況であれば、携帯電話装置１側で放送出力を行う代わりにハードディスクレコーダ１０に対して放送内容の記録を指示する。
【００５４】
この記録指示処理を実行した結果、ハードディスクレコーダ１０に対して記録指示を送信したか否かを判別し（ステップＤ３）、放送出力に適さない状況下のため記録指示を送信した場合には（ステップＤ３でＹＥＳ）、この時点で出力処理のフローの終了となるが、放送出力に適した状況下にあって記録指示を送信しない場合には（ステップＤ３でＮＯ）、携帯電話装置１側でその出力を行う。すなわち、出力操作によって指定された放送内容を受信取得したのち（ステップＤ４）。この出力操作は再生操作（視聴操作）であるか、記録操作（録画操作、録音操作）であるかを判別する（ステップＤ５）。いま、出力操作が再生操作（視聴操作）であれば（ステップＤ５でＹＥＳ）、再生手段（表示部２１、サウンドスピーカ２２）へ放送内容を送って（ステップＤ６）、再生させる（ステップＤ７）。出力操作が記録操作（録画操作、録音操作）であれば（ステップＤ５でＮＯ）、記録手段（記録データ記憶部Ｍ４）へ放送内容を送って（ステップＤ８）、記録させる（ステップＤ９）。
【００５５】
また、待受状態においてＲＴＣ２４の時刻更新（例えば、分単位更新）を検出した場合には（図８のステップＡ２３でＹＥＳ）、予約出力処理に移る（ステップＡ２４）。図１２は、この予約出力処理（図８のステップＡ２４）を詳述するためのフローチャートである。
先ず、ＣＰＵ１１は、ＲＴＣ２４から現在時刻を取得し、現在時刻に基づいて予約情報記憶部Ｍ３を検索することによって現在時刻から１時間後に該当する予約日時を含む予約情報の有無を調べる（ステップＥ１）。ここで、該当する予約情報があれば、この予約情報が示す放送内容（予約番組）の放送時間帯を読み出す（ステップＥ２）。この場合、予約情報から「種別」、「チャンネル／周波数」と共に、その「日時情報」を読み出す。
【００５６】
そして、上述した図１３の記録指示処理に移り（ステップＥ３）、この放送内容の放送時間帯が放送出力に適さない状況か否かを判別し、放送出力に適さない状況であれば、携帯電話装置１側で放送出力を行う代わりにハードディスクレコーダ１０に対して放送内容の記録を指示する。このような記録指示処理を実行した結果、ハードディスクレコーダ１０に対して記録指示を送信したか否かを判別し（ステップＥ４）、記録指示を送信した場合には、つまり、その予約実行をハードディスクレコーダ１０側で行わせる場合には（ステップＥ４でＹＥＳ）、携帯電話装置１側では当該予約情報が不要となるため、それを予約情報記憶部Ｍ３から削除する（ステップＥ５）。
【００５７】
次に、ＣＰＵ１１は、現在時刻に基づいて予約情報記憶部Ｍ３を検索することによって現在時刻に一致する予約日時を含む予約情報の有無を調べる（ステップＥ６）。ここで、該当する予約が有れば、上述の場合と同様に、この予約情報が示す放送内容の放送時間帯として「種別」、「チャンネル／周波数」、「日時情報」を読み出したのち（ステップＥ７）、上述した図１３の記録指示処理に移り（ステップＥ８）、現在時刻から当該放送内容が終了するまでの放送時間帯が放送出力に適さない状況か否かを判別し、放送出力に適さない状況であれば、携帯電話装置１側で放送出力を行う代わりにハードディスクレコーダ１０に対して放送内容の記録を指示する。その結果、ハードディスクレコーダ１０に対して記録指示を送信したか否かを判別し（ステップＥ９）、記録指示を送信した場合には、つまり、その予約実行をハードディスクレコーダ１０側で行わせる場合には（ステップＥ９でＹＥＳ）、携帯電話装置１側では当該予約情報が不要となるため、それを予約情報記憶部Ｍ３から削除する（ステップＥ１０）。
【００５８】
また、現在時刻に一致する予約情報に対して記録指示処理を実行した結果、ハードディスクレコーダ１０に対して記録指示を送信しなかった場合には（ステップＥ９でＮＯ）、携帯電話装置１側でその予約を実行する。すなわち、この予約情報が示す放送内容を受信取得したのち（ステップＥ１１）、この予約情報内の「再生」を参照し、「再生」をするか否かを判別する（ステップＥ１２）。ここで、予約情報内の「再生」に視聴予約の実行を示す“する”がセットされていれば（ステップＥ１２でＹＥＳ）、再生手段（表示部２１、サウンドスピーカ２２）へ放送内容を送って（ステップＥ１３）、再生させる（ステップＥ１４）。また、予約情報内の「記録」を参照し、記録予約（録画予約／録音予約）の実行を示す“する”がセットされていれば（ステップＥ１５でＹＥＳ）、記録手段（記録データ記憶部Ｍ４）へ放送内容を送って（ステップＥ１６）、記録させる（ステップＥ１７）。その後、上述のステップＥ１０に移り、予約実行によって不要となった予約情報を削除する。
【００５９】
ハードディスクレコーダ１０は、例えば、深夜時間帯などユーザ操作によって予め任意に指定された時刻などに記録データを元の携帯電話装置１へ送信するが、携帯電話装置１側では、待受状態においてハードディスクレコーダ１０からの記録データを受信検出すると（図８のステップＡ２５でＹＥＳ）、この受信データ（記録データ）を一時記憶したのち（ステップＡ２６）、再生手段（表示部２１、サウンドスピーカ２２）へ当該記録データを送って（ステップＡ２７）、順次再生させる（ステップＡ２８）。
【００６０】
その他、ＣＰＵ１１は、電源オフ操作が行われた場合には（ステップＡ２９でＹＥＳ）、電源オフ処理を実行したのち（ステップＡ３０）、このフローの終了となるが、それ例外の操作が行われた場合には（ステップＡ３１でＹＥＳ）、この操作に対応する処理として、例えば、メール作成処理、アドレス帳作成処理などが行う（ステップＡ３２）。
【００６１】
以上のように、この第１実施例においてＣＰＵ１１は、携帯電話装置１の利用状況を利用履歴として履歴情報記憶部Ｍ１に記憶し、かつ、放送内容の出力に適した状況か否かを判別するための判別条件を判別条件記憶部Ｍ２に記憶している状態において、出力対象の放送内容が指定された際に、この履歴情報記憶部Ｍ１及び判別条件記憶部Ｍ２を参照し、この放送内容を出力する時間帯が放送出力に適した状況でないと判別された場合には、その旨を報知するようにしたので、放送内容を出力する際の状況が出力に適した状況でないことが予測される場合であってもユーザは外部記録装置（ハードディスクレコーダ１０）に予約情報をセットしたり、他の人に放送内容の記録を依頼したりするなど、放送内容を見逃したり聞き逃したりすることを防止するための何らかの対処をすることができる。
【００６２】
放送内容の出力は、放送内容を再生する再生手段への出力としたので、放送内容を再生する時間帯が、例えば、普段は音声通話をしている時間帯であったり、他の機能を利用している時間帯であったり、自動車を運転している時間帯であったりするように、放送内容の再生（視聴）に適した状況でないことが予測される場合であっても、ユーザはその旨を予め知ることができる。
【００６３】
放送内容の出力は、放送内容を記録する記録手段への出力としたので、放送内容を記録する時間帯が、例えば、普段は新幹線などに乗って高速移動している時間帯であったり、地下など放送を受信できないエリアにいる時間帯であったりするように、放送内容の記録に適した状況でないことが予測される場合であっても、ユーザはその旨を予め知ることができる。
【００６４】
ＣＰＵ１１は、出力に適した状況でない場合に外部記録装置であるハードディスクレコーダ１０にその放送内容の記録を指示してハードディスクレコーダ１０に記録させることができ、また、このハードディスクレコーダ１０から記録データを受信取得して再生することができ、放送受信が不能な事態など、どのような状況下でも放送内容を見逃したり聞き逃したりすることを防止することができる。
【００６５】
利用履歴は、通話機能における通信履歴であるので、普段は通話機能を利用しているために放送を視聴できないような状況や、通話中のノイズによって放送信号に悪影響を受けているような状況など、通話機能に応じて出力に適した状況か否かを判別することができる。
【００６６】
ＣＰＵ１１は、特定相手の通信履歴を参照して放送内容を出力する時間帯が放送出力に適した通信状況下であるか否かを判別するようにしたので、例えば、普段は重要な相手などと通話しているためにユーザが放送を視聴できない状況や、反対に普段は電話番号非通知などの重要でない相手と通話しているために視聴を優先できる状況のように、通信相手に応じて出力に適した状況か否かを判別することができる。
【００６７】
利用履歴は、機能の動作状況を蓄積した機能動作履歴であるので、普段はカメラ機能を利用しているためにユーザが放送を視聴できない状況や、カメラ機能を利用しているためにカメラ機能により放送内容にノイズが乗ってしまう状況のように、機能の動作に応じて出力に適した状況か否かを判別することができる。
【００６８】
利用履歴は、位置履歴であるので、普段は勤務先にいるためにユーザが放送を視聴できない状況や、放送の受信が困難な場所にいる状況のように、現在位置に応じて出力に適した状況か否かを判別することができる。
【００６９】
利用履歴は、移動履歴であるので、普段は自動車を運転しているためにユーザが視聴できない状況や、新幹線に乗って高速移動していて放送の受信が困難な状況のように移動に応じて出力に適した状況か否かを判別することができる。
【００７０】
利用履歴は、受信可否履歴であるので、普段は放送の受信圏外にいて放送の受信が困難な状況のように、放送の受信可否に応じて出力に適した状況か否かを判別することができる。
【００７１】
放送を出力する時間帯は、この放送内容の開始時刻から終了時刻までの時間帯であるので、その放送時間中に出力に適さない状況が含まれていることを予め知ることができれば、この放送内容を見逃しなど防止するための対処が可能となる。
【００７２】
放送出力に適した状況でない旨の報知は、電子番組表などから任意の番組を選択指定した際に行うことができ、放送内容を出力するより前にユーザは出力に適した状況でない旨を知ることができる。
【００７３】
また、放送出力に適した状況でない旨の報知は、予約情報を記憶する際に行うことができ、放送内容を出力するより前にユーザは出力に適した状況でない旨を知ることができる。
【００７４】
また、放送出力に適した状況でない旨の報知は、予約日時に達する所定時間前（１時間前）に行うことができ、放送内容を出力するより前にユーザは出力に適した状況でない旨を知ることができる。
【００７５】
なお、上述した第１実施例においては、携帯電話装置１とハードディスクレコーダ１０との接続を無線ＬＡＮを介して行うようにしたが、有線ケーブルで接続してもよく、また無線通信網、インターネットを介して接続するようにしてもよい。また、外部記録装置としては、ハードディスクレコーダ１０に限らず、レコーダ内臓型のテレビ受像機・ラジオ受信機であってもよく、また、ハードディスクに限らず、記録手段も任意である。
【００７６】
また、図１０の予約情報記憶処理において、ハードディスクレコーダ１０に対して記録指示を送信した場合でも（ステップＣ５でＹＥＳ）、その予約情報を生成して携帯電話装置１側で記憶するようにしてもよい。
【００７７】
また、図１２の予約出力処理において、ハードディスクレコーダ１０に対して記録指示を送信した場合でも（ステップＥ４でＹＥＳ）、携帯電話装置１側の予約情報を削除せず、その予約を実行するようにしてもよい。また、ステップＥ９で“ＹＥＳ”の場合でも、そのステップＥ９で“ＮＯ”の場合と同様の動作を行うようにしてもよい。つまり、ハードディスクレコーダ１０に対して記録指示を送信した場合でも携帯電話装置１側の予約情報を削除せず、携帯電話装置１側でその再生や記録を行うようにしてもよい。
（実施例２）
【００７８】
以下、この発明の第２実施例について図１４及び図１５を参照して説明する。
なお、上述した第１実施例においては出力操作を再生手段で放送内容を再生する再生操作に限らず、携帯電話装置１あるいはハードディスクレコーダ１０に備えられている記録手段で放送内容を記録する記録操作とし、また、放送出力の適否を判別するタイミングを任意に指定した番組に対する予約を行う際、指定番組をリアルタイム出力する際、予約日時にその予約を実行する際としたが、この第２実施例においては出力操作を任意の番組を指定する再生操作のみとし、また、放送出力の適否を判別するタイミングを任意の番組を指定した際としたものである。また、第１実施例においては、放送出力に適していないと判別した際に、携帯電話装置１の記録手段に指定番組を記録するようにしている。なお、その他は、この第２実施例においても上述した第１実施例と同様である。
ここで、両実施例において基本的あるいは名称的に同一のものは、同一符号を付して示し、その説明を省略すると共に、以下、第２実施例の特徴部分を中心に説明するものとする。
【００７９】
図１４は、第２実施例における出力処理（図８のステップＡ２２）を詳述するためのフローチャートである。
先ず、ＣＰＵ１１は、電子番組表を取得して表示させたのち（ステップＧ１）、この電子番組表の中から１つの番組情報をカーソル指定や反転表示によって任意指定する再生操作が行われると（ステップＧ２）、この指定された放送内容（指定番組）の放送時間帯をその番組情報から読み出して（ステップＧ３）、記録指示処理の実行に移る（ステップＧ４）。
【００８０】
図１５は、第２実施例における記録指示処理（図１４のステップＧ４）を詳述するためのフローチャートである。
先ず、ＣＰＵ１１は、判別条件記憶部Ｍ２をアクセスして「設定フラグ」として“１”がセットされている「履歴名」を特定すると共に、この「履歴名」に対応する「判別条件」を読み出す（ステップＨ１）。なお、図４の例では、“通話履歴”に対応する「設定フラグ」に“１”がセットされているので、それに対応する「判別条件」が読み出される。そして、「設定フラグ」に“１”がセットされている「履歴名」に基づいて履歴情報記憶部Ｍ１をアクセスし、この「履歴名」対応の「履歴内容」と「判別条件」とを比較し（ステップＨ２）、「履歴内容」は「判別条件」を満たすか否かに基づいて放送内容の放送時間帯が放送出力に適した状況ではないか否かを判別する（ステップＨ３）。
【００８１】
ここで、「判別条件」を満たしていれば、放送出力に適した状況ではないので（ステップＨ３でＹＥＳ）、メッセージ画面を表示し、その旨の報知を行う（ステップＨ４）。このメッセージ画面には、例えば、「放送時間帯は視聴に適した状況ではない可能性があります、記録しますか？」のメッセージが表示され、この問い合わせに対してＹＥＳ／ＮＯ形式で回答する「はい」、「いいえ」のボタンが配置されている。いま、「はい」のボタンが操作されると（ステップＨ５でＹＥＳ）、携帯電話装置１の記録手段（記録データ記憶部Ｍ４）に対して記録指示を送る（ステップＨ６）。一方、「判別条件」を満たしていない場合（ステップＨ３でＮＯ）あるいは「判別条件」を満たしていても記録が拒否された場合には（ステップＨ５でＮＯ）、記録指示を行わず、この時点で記録指示処理のフローから抜ける。
【００８２】
このような記録指示処理を実行した結果、記録データ記憶部Ｍ４に対して記録指示を送ったか否かを判別し（ステップＧ５）、放送出力に適さない状況下のために記録指示を送った場合には（ステップＧ５でＹＥＳ）、出力操作によって指定された放送内容（指定番組）は現在放送中であるかを調べる（ステップＧ６）。放送中であれば、この放送内容を受信すると共に（ステップＧ７）、記録データ記憶部Ｍ４に送って（ステップＧ８）、記録させるが（ステップＧ９）、現在放送中でなければ（ステップＧ６でＮＯ）、この放送内容を記録する予約情報を生成して予約情報記憶部Ｍ３に追加記憶させる（ステップＧ１０）。
【００８３】
一方、記録指示処理を実行した結果、携帯電話装置１の記録手段に記録指示を送らなかった場合には（ステップＧ５でＮＯ）、上述の出力操作によって指定された放送内容（指定番組）は、現在放送中であるかを調べ（ステップＧ１１）、放送中であれば、この放送内容を受信すると共に（ステップＧ１２）、再生手段（表示部２１、サウンドスピーカ２２）に送って（ステップＧ１３）、順次再生させる（ステップＧ１４）。また、現在放送中でなければ（ステップＧ１１でＮＯ）、この放送内容を記録する予約情報を生成して予約情報記憶部Ｍ３に追加記憶させる（ステップＧ１５）。
【００８４】
以上のように、この第２実施例においては、任意の番組を指定する再生操作が行われた際に、その放送出力に適しているか否かを判別すると共に、放送出力に適していない場合には携帯電話装置１の記録手段（記録データ記憶部Ｍ４）に指定番組を記録するようにしたので、放送内容を出力する際の状況が、普段は音声通話をしている時間帯であったり、他の機能を利用している時間帯であったり、自動車を運転している時間帯であったりするように、放送出力に適した状況でないことが予測される場合に、その指定番組を記録することができる。
【００８５】
なお、図１４で示した出力処理において、携帯電話装置１の記録手段に記録指示を送った場合には、その放送内容を記録するだけではなくその再生を行うようにしてもよい。つまり、放送内容を再生しながらそれを記録するようにしてもよい。
【００８６】
また、上述した各実施例において履歴情報記憶部Ｍ１は、“通話履歴”、“ニュース受信履歴”、“機能動作履歴”、“位置履歴”、“移動履歴”、“受信可否履歴”別に、その履歴情報を記憶するようにしたが、履歴情報の種類としては、これに限らず、例えば、メールの送受信状況を記憶するメール履歴、データの送受信状況を記憶するデータ履歴などであってもよい。また、“機能動作履歴”の対象となる機能としては特定機能に限定してもよく、位置情報、速度情報、放送受信の可否状況を定期的に取得する場合に限らず、位置が変化した際にその位置情報を取得したり、所定の速度以上に達した場合にその速度を取得したり、受信可否が変化した場合にその変化を取得したりするようにしてもよい。
【００８７】
上述した各実施例において判別条件記憶部Ｍ２は、１つの「履歴名」に対応してその「設定フラグ」に“１”をセットするようにしたが、複数の「履歴名」の「設定フラグ」に“１”をそれぞれセットするようにしてもよい。この場合、いずれの条件に該当していれば、放送出力に適しない状況にあると判断するようにしてもよく、あるいは複数の条件の論理積が成立した場合に、放送出力に適しない状況にあると判断するようにしてもよい。また、判別条件に優先順位を付けるようにしてもよい。すなわち、例えば、「通話履歴」と「ニュース受信履歴」とでは、「通話履歴」の優先順位のほうが高くなるように設定しておけば、「通話履歴」では“放送出力に適しない”、「ニュース受信履歴」では“放送出力に適する”と判別されても、最終的には“放送出力に適しない”を優先するようにしてもよい。
【００８８】
上述した各実施例においては、放送出力に適した状況でない旨の報知する場合に、メッセージ画面を表示するようにしたが、音声メッセージで報知したり、報知メッセージ付のメールを特定相手に対して送信して放送内容の記録をその相手に依頼したりするようにしてもよい。
【００８９】
また、図８のステップＡ２５〜Ａ２８では、ハードディスクレコーダ１０からの記録データを受信検出すると、この受信データ（記録データ）を再生手段（表示部２１、サウンドスピーカ２２）に送って順次再生させるようにしたが、放送出力に適していることを条件に記録データを受信して再生させるようにしてもよい。すなわち、ハードディスクレコーダ１０は、携帯電話装置１へ記録データを送信する前にその旨を通知し、携帯電話装置１は、この通知を受けた際に、放送出力に適した状況であるか否かを判別し、放送出力に適していれば、ハードディスクレコーダ１０からの記録データを受信して再生するが、放送出力に適した状況でない場合には、その旨を報知してその再生を一時保留するようにしてもよい。
【００９０】
その他、放送受信機能付の携帯電話装置に限らず、例えば、放送受信機能付のＰＤＡなどの携帯端末装置であっても同様に適用可能である。また、放送受信機能付の携帯電話装置に限らず、例えば、据え置き型あるいは携帯型の放送受信装置であっても同様に適用可能である。
【図面の簡単な説明】
【００９１】
【図１】放送受信装置として適用した放送受信機能付き携帯電話装置の通信ネットワークシステムを示したブロック図。
【図２】携帯電話装置１の基本的な構成要素を示したブロック図。
【図３】履歴情報記憶部Ｍ１の内容を説明するための図。
【図４】判別条件記憶部Ｍ２の内容を説明するための図。
【図５】予約情報記憶部Ｍ３の内容を説明するための図。
【図６】記録データ記憶部Ｍ４の内容を説明するための図。
【図７】携帯電話装置１の全体動作の概要を示したフローチャート。
【図８】図７に続く、フローチャート。
【図９】利用状況検出処理（図７のステップＡ１８）を詳述するためのフローチャート。
【図１０】予約情報記憶処理（図８のステップＡ２０）を詳述するためのフローチャート。
【図１１】出力処理（図８のステップＡ２２）を詳述するためのフローチャート。
【図１２】予約出力処理（図８のステップＡ２４）を詳述するためのフローチャート。
【図１３】記録指示処理（図１０のステップＣ４、図１１のステップＤ２、図１２のステップＥ３・Ｅ８）を詳述するためのフローチャート。
【図１４】第２実施例における出力処理（図８のステップＡ２２）を詳述するためのフローチャート。
【図１５】第２実施例における記録指示処理（図１４のステップＧ４）を詳述するためのフローチャート。
【符号の説明】
【００９２】
１  携帯電話装置
２  無線通信網
４  インターネット
５  ニュース配信サーバ
７  放送局
８  送信基地局
９  テレビ・ラジオ番組情報サーバ
１０  ハードディスクレコーダ
１１  ＣＰＵ
１２  ＲＯＭ
１３  ＲＡＭ
Ｍ１  履歴情報記憶部
Ｍ２  判別条件記憶部
Ｍ３  予約情報記憶部
Ｍ４  記録データ記憶部
１４  無線通信送受信部
１５  テレビ放送・ラジオ放送受信部
１６  無線ＬＡＮ送受信部
１７  ＧＰＳ信号受信部
２１  表示部
２２  サウンドスピーカ
２３  操作部
２４  ＲＴＣ
２５  速度検出部
２６  カメラ撮像部
【図１】
2008278181.tif 000003
【図２】
2008278181.tif 000004
【図３】
2008278181.tif 000005
【図４】
2008278181.tif 000006
【図５】
2008278181.tif 000007
【図６】
2008278181.tif 000008
【図７】
2008278181.tif 000009
【図８】
2008278181.tif 000010
【図９】
2008278181.tif 000011
【図１０】
2008278181.tif 000012
【図１１】
2008278181.tif 000013
【図１２】
2008278181.tif 000014
【図１３】
2008278181.tif 000015
【図１４】
2008278181.tif 000016
【図１５】
2008278181.tif 000017